(57)【特許請求の範囲】
【請求項１】
箱部分（１０）と、蓋（１１）と、カラー（１３）とを具備し、箱の側壁（２４）と蓋の側壁（２５）が互いに鈍角をなす多角形に形成された壁区間（２７、２８、２９）からなり、この壁区間のうちの横向きの中央の壁区間（２９）が互いに連結されたエッジ脚部（３４、３５）からなっている、ヒンジ付き蓋のタイプの紙巻きたばこ包装体において、
ａ）前記箱の側壁（２４）と前記蓋の側壁（２５）が共に、互いに鈍角をなして接続する５つの壁区間（２７、２８、２９）からなり、
ｂ）中央の壁区間（２９）が包装体の前面と背面に対して横向きであり、
ｃ）横向きの中央の前記壁区間（２９）の両側に、中央の前記壁区間（２９）に対しておよび互いに角度をなす壁区間（２７、２８）が少なくとも２つずつ配置され、
ｄ）すべての前記壁区間（２７、２８、２９）が互いに同じ外角をなしていて、
ｅ）前記壁区間（２７、２８）およびエッジ脚部（３４、３５）の幅が、紙巻きたばこ（４９）の直径（ｄ）と包装体材料の厚さ（ｔ）に依存して、以下の方程式
【数１】
0005568483.tif 000003
にしたがって決定されていて、
ｆ）包装体内容物としての一群の紙巻きたばこ（４９）が、横向きの列（５０、５１）を有する配列を形成し、側壁（２４、２５）に付設されたエッジ側の列（５０）が横方向に並べて設けられた２本の紙巻きたばこ（４９）からなり、隣接する列（５１）が並べて設けられた３本の紙巻きたばこ（４９）からなり、この列（５１）の紙巻きたばこが隣接する列（５０）の紙巻きたばこに対してずらして配置され、さらにエッジ側の列（５０）の紙巻きたばこ（４９）が中央の壁区間（２９）に隣接する壁区間（２８）に接触していて、
ｇ）３本の紙巻きたばこ（４９）からなる隣接する列（５１）の外側の紙巻きたばこ（４９）が、前記壁区間（２７）に隣接する、前壁（１７、２２）と背壁（１９，２０）とに接触していることを特徴とする紙巻きたばこ包装体。
【請求項２】
前記壁区間（２７、２８）及び前記エッジ脚部（３４、３５）が、同じ幅（ｘ）に形成されていることを特徴とする請求項１に記載の紙巻きたばこ包装体。
【請求項３】
横向きの中央の前記壁区間（２９）が、互いにオーバーラップしかつ互いに連結された、箱の側方耳（３０、３１）と蓋の側方耳（３２、３３）の２つのエッジ脚部（３４、３５）からなり、このエッジ脚部（３４、３５）が少しだけ互いにずらして（ｙ）配置され、それによってエッジ脚部（３４）の外側に位置する自由端縁（３８）がすぐ隣の壁区間（２８）の仮想の平面から突出していないことを特徴とする請求項１または２に記載の紙巻きたばこ包装体。
【請求項４】
箱部分（１０）と蓋（１１）の内側に位置する側方耳（３１、３３）のエッジ脚部（３５）に、コーナー耳、すなわち、一方では底のコーナー耳（３９）と他方では蓋のコーナー耳（４０）が配置され、このコーナー耳（３９、４０）が側壁（２４、２５）の輪郭に適合した外側輪郭を有し、すなわち、外向きの耳エッジ（４１）を有し、この耳エッジが前記壁区間（２７、２８、２９）の相対位置および寸法に相応して互いに角度をなして配置された複数の部分エッジを有し、それによって、前記耳エッジ（４１）が前記壁区間（２７、２８）並びに箱の前壁（１７）と蓋の前壁（２２）の部分領域に、嵌合して支持するように接触していることを特徴とする請求項１〜３のいずれか一項に記載の紙巻きたばこ包装体。
【請求項５】
別個の裁断片からなる前記カラー（１３）が、カラーの側方耳（１５、１６）を有するカラーの前壁（１４）を形成し、前記カラーの側方耳（１５、１６）が折り曲げ線（４５）によって画成された折り曲げ可能な材料帯を備え、この材料帯が前記壁区間（２７、２８、２９）の内面にぴったり接触していることを特徴とする請求項１〜４のいずれか一項に記載の紙巻きたばこ包装体。
【請求項６】
前記カラーの側方耳（１５、１６）が、中央の壁区間（２９）の領域を越えて突出し、エッジ帯（２８）に全面で接触するエッジ帯（４６）を備えていることを特徴とする請求項１〜５のいずれか一項に記載の紙巻きたばこ包装体。
【請求項７】
Ｃ字形の打ち抜き部によって形成された舌片（４７）が、前記蓋（１１）のための閉鎖補助手段として、前記箱の前壁（１７）から後退した前記カラーの側方耳（１５、１６）の折り曲げ線（４５）の領域に付設されていることを特徴とする請求項１〜６のいずれか一項に記載の紙巻きたばこ包装体。
【請求項８】
前記底壁（１８）および／または前記端壁（２１）が、多角形に形成された、前記側壁（２４、２５）寄りの自由端縁を有し、この自由端縁が互いに鈍角をなして配置された辺（４８）を有し、この辺が前記側壁（２４、２５）の前記壁区間（２７、２８、２９）にぴったり接触していることを特徴とする請求項１〜７のいずれか一項に記載の紙巻きたばこ包装体。
【発明の詳細な説明】
【技術分野】
【０００１】
本発明は、箱部分と、蓋と、好ましくは別個の裁断片からなるカラーとを具備し、互いに部分的にオーバーラップする側方耳からなる箱の側壁と蓋の側壁が多角形状に互いに接続する壁区間によって形成され、この壁区間が包装体の（仮想の）中心平面に関して対称に配置されている、ヒンジ付き蓋のタイプの紙巻きたばこ包装体に関する。
【背景技術】
【０００２】
傾斜した（直立した）包装体エッジを有する上記タイプの紙巻きたばこ包装体が知られている。この包装体の輪郭は全部で８つの角を有する（特許文献１）。包装体エッジの領域内に斜めに向いた材料帯は、紙巻きたばこの寸法に合わせられ、横向きの中央材料帯よりも狭くなっている。
【先行技術文献】
【特許文献】
【０００３】
【特許文献１】欧州特許第０２０４９３３号明細書
【発明の概要】
【発明が解決しようとする課題】
【０００４】
本発明の根底をなす課題は、包装体内容物の形、すなわち、紙巻きたばこ群に対する外側輪郭の適合が改善され、包装体の機械的な製作可能性および消費者による包装体の取扱操作可能性が保証される新規な包装体を提案することである。
【課題を解決するための手段】
【０００５】
この課題を解決するために、本発明に係るヒンジ付き蓋を有する箱は、箱部分の側壁と蓋の側壁が少なくとも５つの壁区間からなり、この壁区間のうちの中央の壁区間が包装体の前面または背面に対して横向きであり、中央の壁区間の両側に、壁区間が少なくとも２つずつ形成され、この壁区間が互いに、中央の壁区間に対しておよび包装体の前面と背面に対して鋭角の外角をなしていることを特徴とする。
【０００６】
外観が魅力的で、機械的に製作可能でそして触覚学的に最適である包装体の輪郭では、箱部分と蓋の側壁が５つの壁区間からなり、この壁区間が同じ幅を有し、かつ互いに同じ角度（外角）、特にそれぞれ３０°の角度をなして配置されている。
【０００７】
本発明に係る包装体の他の特徴は、互いにオーバーラップしかつ互いに連結された、箱部分と蓋の側方耳のエッジ領域が、完全にはオーバーラップしておらず、ややずれている。従って、外側に位置するエッジ耳の自由端縁が、直接隣接する折り曲げ角に対して後退している。
【０００８】
独立した裁断片からなるカラーは、包装体の背面寄りの壁帯の領域内のエッジウェブを含めて、多角形のカラー側方耳を形成することによって、包装体の輪郭に適合している。
【０００９】
さらに、包装体のコーナー耳、すなわち、底コーナー耳と端面コーナー耳が、特別な輪郭を有し、エッジ帯の領域において側方耳に接続している。コーナー耳の位置は、包装体完成時にコーナー耳の多角形外側輪郭が側壁の部分領域に支持されて接触するように選定されている。
【００１０】
次に、図に基づいて本発明の包装体の他の細部を詳しく説明する。
【図面の簡単な説明】
【００１１】
【図１】ヒンジ付き蓋を有する箱のタイプの包装体のために展開された裁断片を示す図である。
【図２】このような包装体のカラーのための同様に展開された裁断片を示す図である。
【図３】ヒンジ付き蓋を有する箱のタイプの紙巻きたばこ包装体の、蓋を開放した状態の斜視図である。
【図４】図３の包装体の閉鎖状態を示す同様な斜視図である。
【図５】切断面Ｖ−Ｖに沿った、図４の包装体の拡大横断面図である。
【図６】図４の切断面ＶＩ−ＶＩに沿った、紙巻きたばこを収容していない包装体の図５と同様な横断面図である。
【図７】寸法記号を有する包装体の部分横断面図である。
【図８】寸法線と計算式を記入した、図７と同様な図である。
【発明を実施するための形態】
【００１２】
ヒンジ付き蓋またはヒンジリッドを有する箱のタイプの紙巻きたばこ包装体の外形と構造が重要である。（下側の）箱部分１０と蓋１１が包装体の背面側の領域において線状ヒンジ１２によって揺動可能に相互連結されていることが、このタイプの包装体の標準構造である。蓋１１は図４の閉鎖位置と図３の開放位置との間で動くことができる。箱部分１０と蓋１１は１つのユニットを形成している。
【００１３】
包装体内にカラー１３が配置されている。このカラーはカラー前壁１４とカラー側方耳１５、１６とからなっている。カラー１３は下側の固定領域が、特に接着によって箱部分１０に固定されている。カラー１３の上側領域は閉鎖位置にある蓋１１によって包囲されている。
【００１４】
箱部分１０と蓋１１は、特に図１の実施形態では、一体の裁断片からなっている。裁断片は縦方向折り曲げの原理に従って形成され、箱の前壁１７、底壁１８、箱の背壁１９、蓋の背壁２０、端壁２１、蓋の前壁２２および蓋の内耳２３のための連続して設けられた領域を有する。線状ヒンジ１２は箱の背壁１９と蓋の背壁２０との間に形成されている。
【００１５】
包装体の側壁、すなわち、箱の側壁２４と蓋の側壁２５は特別な方法で形成されている。互いに向き合う箱の側壁２４は互いに一致するように形成されている。同じことが蓋の側壁２５にも当てはまる。この蓋の側壁の輪郭は箱の側壁２４の輪郭と一致している。
【００１６】
側壁２４、２５は、互いに鋭角（外角）２６をなす帯状の複数の壁区間２７、２８、２９によって、外向きの多角形配列体として形成されている。すべての壁区間２７〜２９が同じ幅に形成され、かつ互いに同じ角度をなしていると有利である。この場合、中央の壁区間２９は特別に形成されている。側壁２４、２５は包装体の（仮想の）中心面に関して対称に形成されている。
【００１７】
中央の壁区間２９は横向きである。すなわち、前壁１７、２２または背壁１９、２０に対して横方向に向いている。壁区間２９の範囲において、裁断片の側方耳、すなわち、正面側の箱の側方耳３０と、箱の背壁１９に付設された側方耳３１は、特に接着によって互いに連結されている。同様に、蓋の範囲において、前側の蓋の側方耳３２と後側の側方耳３３が互いに連結されている。側方耳３０〜３３は包装体の付設された前壁と背壁に接続している。すなわち、箱の前壁１７、箱の背壁１９、蓋の背壁２０および蓋の前壁２２に接続している。側方耳３０〜３３の寸法と形状は側壁２４、２５の形に準拠している。各側方耳３０〜３３は複数の材料帯、ここでは３つの材料帯に分割されている。すなわち、すべての側方耳３０〜３３の範囲に、壁区間２７、２８およびエッジ側の外側区間３４並びに外側に位置するエッジ区間３４と内側に位置するエッジ区間３５を形成するために、複数の材料帯に分割されている。材料帯２７、２８並びに３４、３５は側方耳３０〜３３の範囲において、同じ数の平行な折り曲げ線３６によって印を付けてある。この折り曲げ線は特にエンボス加工線、場合によっては表面のミシン目による材料弱体化部等である。折り曲げ線３６は、包装体完成時にその都度はっきりした折り曲げ角３７を生じるように形成されている。
【００１８】
エッジ脚部３４、３５は好ましくは壁区間２７、２８と同じ幅に形成されている。互いに付設されたエッジ脚部３４、３５が全面でオーバーラップすると、壁区間２７、２８と同じ幅を有する（二層の）中央の壁区間２９が生じる。図示した実施形態の場合、エッジ脚部３４、３５が互いに少しずらして位置決めされているので、外側のエッジ脚部３４の自由端縁３８が隣接する折り曲げ角３７に対して少しだけ後退している。それによって、自由端縁３８は隣接する壁区間２８の平面の（仮想）延長平面を超えて突出していない（図６の一点鎖線）。それによって、中央の壁区間２９は隣接する壁区間２７、２８よりも大きな幅を有する。
【００１９】
他の特徴はコーナー耳の形成にある。底のコーナー耳３９は箱の側壁２４の内側に位置するエッジ脚部３５に配置され、蓋のコーナー耳４０は蓋の側壁２５の内側に位置するエッジ脚部３５に配置されている。コーナー耳３９、４０は付設された横壁に接触している。すなわち、一方では底壁１８に、他方では端壁２１に接触している。コーナー壁３９、４０は互いに一致するように特別な形に形成されている。折り曲げられていない状態で外側に向いた耳エッジ４１は、多角形の輪郭を有し、この輪郭は横方向に向いた折り曲げ線４２に接続する３つのエッジ区間を有する。このエッジ区間の寸法は壁区間２７、２８の寸法に適合している。エッジ区間４３は箱の前壁１７または蓋の前壁２２の内面に接触する。隣接するエッジ区間４４はそれぞれ包装体正面の方に向いた壁区間２７、２８に接触する。コーナー耳３９、４０は側壁２４、２５の範囲において包装体をさらに安定させる。
【００２０】
前壁１４が箱の前壁１７の内面に接触しているカラー１３は、その側方耳１５、１６の範囲が次のように形成されている。すなわち、箱の側壁２４の内面にぴったり接触し、そして包装体を閉鎖したときに蓋の側壁２５にぴったり接触するように形成されている。カラーの側方耳１５、１６は、その多角形折り曲げを生じる折り曲げ線４５、特にエンボス加工線またはミシン目線を備えている。それによって形成される材料帯は、箱部分１０の壁区間２７、２８、２９の内面にぴったり接触する（図５）。カラーの側方耳１５、１６は、包装体の中心を越えてあるいは中央壁区間２９を越えて延在するように、すなわち、エッジ帯４６が包装体の背面に付設された壁区間２８の範囲に達するように採寸されている。閉鎖補助手段、すなわち、ほぼＣ字状の打ち抜きによって形成された舌片４７は、カラーの前壁１４に接続する内側の折り曲げ線４５の領域またはこの折り曲げ線によって形成された折り曲げ角の範囲に配置されているのではなく、隣接する折り曲げ線（図２）の範囲に配置されている。それによって、この閉鎖補助手段は包装体の正面に対して後退している（図３）。
【００２１】
包装体の下壁と上壁、すなわち、底壁１８と端壁２１は、包装体の輪郭に適合している。両壁１８、２１は５つの辺４８からなる正多角形として形成された自由エッジを有する。この辺４８の形状、配置および寸法は側壁２４、２５の輪郭に一致している。包装体の壁１８、２１の辺４８または自由端縁全体は、壁区間２７、２８、２９の上側および下側の自由エッジに対して突き合わせられている。
【００２２】
包装体内容物は一群の紙巻きたばこ４９である。この紙巻きたばこは包装体の輪郭に適合させて特別な方法で配列されている。紙巻きたばこ４９は横向きの列５０、５１をなすように配置されている。この場合、包装体の側壁２４、２５寄りのエッジ側の列５０は、並べて設けられた２本の紙巻きたばこからなり、隣接する列５１は３本の紙巻きたばこからなっている。隣接する列５０、５１の紙巻きたばこ４９は互いにずれている。すなわち、「サドル位置」にずれている。包装体を適切に採寸すると、各列５０、５１あたり３本または４本の紙巻きたばこ４９を配列することができる。
【００２３】
紙巻きたばこ４９は包装体の安定性を高める配列で配置されている。外側の列５０の両紙巻きたばこ４９は中央の壁区間２９に隣接する壁区間２８に接触している。隣接する列５１の外側の紙巻きたばこ４９はエッジ側の壁区間２７に隣接する領域において、一方では前壁１７、２２に、他方では背壁１９、２０に接触している。並べて設けられた３本の紙巻きたばこ４９からなる他の列５１は、図５の実施形態の場合（仮想の）中央横平面の両側で、包装体の中央領域に形成されている。
【００２４】
紙巻きたばこのグループは合目的な方法で、紙、銀紙等からなる内側裁断片５２によって包まれている。
【００２５】
側壁２４、２５の領域の包装体の形状の基礎となる幾何を、本実施形態に基づいて図７と図８を参照して説明する。この幾何では、一方でｘで示した壁区間２７、２８、２９の幅と、その傾斜角度２６とが相互に関係している。図示の実施形態では、この角度２６は３０°である。それによって、同じ大きさの半径方向角度５３が生じる。この半径方向角度は、壁区間２７〜２９の折り曲げ角３７から折り曲げ角３７までの仮想の半径方向平面の間の角度間隔である。さらに、同じ大きさの半径方向角度５３は、隣接する壁区間の仮想の半径方向中心平面の間の角度である（図８）。壁区間２７〜２９の寸法と角度位置は紙巻きたばこ４９の直径ｄに比例している。
【００２６】
図７と図８の実施形態の場合さらに、壁区間２９の領域におけるエッジ脚部３４、３５のずれｙが考慮されている。このずれｙは包装体材料、すなわち、特に厚紙の厚さｔに比例する。この設定された大きさを考慮して、壁区間２７、２８の幅ｘは次のように計算することができる。
【数１】
0005568483.tif 000002
【００２７】
ずれｙは、（仮想の）大きさとしての内円５４、５５が壁区間２７、２８、２９に付設されるときに、包装体内で繰り返して生じる。内円５４、５５には壁区間２７、２８、２９が正確に接線方向から接触する。この内円は一方でずれｙと他方で材料厚さｔに基づいて円の中心が互いにずれている。この幾何学的な相互関係により、側壁を特別な多角形とするために、材料厚さｔ、紙巻きたばこの直径ｄのような変数に依存して、包装体または側壁２４、２５の形を正確に決定することができる。
【符号の説明】
【００２８】
１０      箱部分
１１      蓋
１２      線状ヒンジ
１３      カラー
１４      カラーの前壁
１５      カラーの側方耳
１６      カラーの側方耳
１７      箱の前壁
１８      底壁
１９      箱の背壁
２０      蓋の背壁
２１      端壁
２２      蓋の前壁
２３      蓋の内耳
２４      箱の側壁
２５      蓋の側壁
２６      角度
２７      壁区間
２８      壁区間
２９      壁区間
３０      箱の側方耳
３１      箱の側方耳
３２      蓋の側方耳
３３      蓋の側方耳
３４      エッジ脚部
３５      エッジ脚部
３６      折り曲げ線
３７      折り曲げ角
３８      端縁
３９      底のコーナー耳
４０      蓋のコーナー耳
４１      耳エッジ
４２      折り曲げ線
４３      角部区間
４４      角部区間
４５      折り曲げ線
４６      エッジ帯
４７      舌片
４８      辺
４９      紙巻きたばこ
５０      列
５１      列
５２      内部裁断片
５３      半径方向角度
５４      内円
５５      内円
【図１】
0005568483.tif 000004
【図２】
0005568483.tif 000005
【図３】
0005568483.tif 000006
【図４】
0005568483.tif 000007
【図５】
0005568483.tif 000008
【図６】
0005568483.tif 000009
【図７】
0005568483.tif 000010
【図８】
0005568483.tif 000011